(57)【要約】【課題】作業機械のブームに設けられるカバーの取り付け、取外し作業性を向上すること。【解決手段】ブーム４の背面部への装着部（取付穴１１１、１２３、１３２）を有し、ブーム４の背面部を覆うように弧状もしくは凹状に形成されたカバー体１１０、１２０、１３０を少なくとも２つ以上直列に配置して構成してなるブームカバー装置。【選択図】  図１
2004299890.tif 000002
【特許請求の範囲】
【請求項１】
作業機械のブームの背面部への装着部を有し、前記ブームの背面部を覆うように弧状もしくは凹状に形成されたカバー体を少なくとも２つ以上直列に配置して構成されることを特徴とする作業機械のブームカバー装置。
【請求項２】
請求項１に記載の作業機械のブームカバー装置において、前記カバー体の少なくとも１つは、その端部の内側部分に、前記端部から外方に向けて突出し隣り合う他のカバー体の端部と重なり合う接続部材が設けられることを特徴とする作業機械のブームカバー装置。
【請求項３】
走行体を有する本体と、この本体に俯仰動可能に設けられるブームと、このブームの先端部に設けられる作業床とを備える高所作業車において、前記ブームの背面部に弧状もしくは凹状に形成された少なくとも２つ以上のカバー体からなるブームカバー装置を前記ブームの長手方向に亘って設けたことを特徴とする高所作業車。
【発明の詳細な説明】
【０００１】
【発明の属する技術分野】
本発明は、高所作業車等の作業機械のブームの背面部に装着されるブームカバー装置と、それを装着した高所作業車に関する。
【０００２】
【従来の技術】
建築、土木工事等に使用される作業機械は、走行体およびパワーユニット等を備えた本体に作業アタッチメントを装着するためのブームを備えている。特に、高所作業車は、ブームの先端に作業床を備え、この作業床に作業員が搭乗し、高所における各種作業が行われる。そしてこの高所作業車の操作は、作業床に設けられる操作盤によって、走行、旋回、ブームの伸長・俯仰等の操作が行われる。
この高所作業車は、例えば、建物の建築や、電線の架設、橋梁の保守点検作業等様々な用途に用いられるが、高所作業車自体の操作盤は作業床上にあり、作業者は作業床を作業対象物に接近させるために、作業床と作業対象物との位置関係に注意を払い、高所作業車全体の位置関係を把握することが困難になる。そのため、本体と作業床とを結ぶブームを、隣接する建築構造物等の障害物に衝突させてしまうことがある。ブームが障害物に衝突するとブームを損傷させ、作業不能となってしまう。これを防止するために、ブームの背面部にカバーを設け、ブームおよびブーム背面部に設けられる油圧配管等を保護するようにしたものがある。（特許文献１参照。）
【特許文献１】実開平５−２２４８４号公報
【０００３】
【発明が解決しようとする課題】
上述した従来技術によるカバーは、ブーム背面部に長手方向に亘って一体的に構成されているから、障害物に衝突して破損した場合には、これを一体に交換する必要がある。そのため、一部が損傷したにすぎないにも関わらず、損傷していない部分を含めてカバー全体を交換する必要があり、不経済である。また、カバーは一体的に構成されているから、大きなものとり、重量も嵩むため、交換作業に労力を要するという問題がある。
【０００４】
本発明の作業機械のブームカバー装置および高所作業車は、上述した課題を解決するものである。
【０００５】
【課題を解決するための手段】
本発明の作業機械のブームカバー装置は、上述した課題を解決するために、請求項１の発明では、作業機械のブームの背面部への装着部を有し、前記ブームの背面部を覆うように弧状もしくは凹状に形成されたカバー体を少なくとも２つ以上直列に配置して構成されることを特徴とする。
また、請求項２の発明では、前記カバー体の少なくとも１つは、その端部の内側部分に、前記端部から外方に向けて突出し隣り合う他のカバー体の端部と重なり合う接続部材が設けられることを特徴とする。
【０００６】
また、本発明の高所作業車は、走行体を有する本体と、この本体に俯仰動可能に設けられるブームと、このブームの先端部に設けられる作業床とを備える高所作業車において、前記ブームの背面部に弧状もしくは凹状に形成された少なくとも２つ以上のカバー体からなるブームカバー装置を前記ブームの長手方向に亘って設けたことを特徴とする。
【０００７】
【発明の実施の形態】
本発明の作業機械のブームカバー装置および高所作業車を図１ないし図４により説明する。図１は本発明のブームカバー装置を装着した高所作業車の全体図、図２は図１におけるブーム部の拡大図、図３はブームカバー装置の詳細を示す詳細図、図４は、図３のカバー体の接続状態を説明する状態説明図である。図１において、１はクローラ式の走行体、２は旋回装置３を介して走行体１上に旋回可能に設けられる旋回体、４は旋回体２に俯仰動可能に設けられるブームで、このブーム４は多段伸縮式のブーム（一般にテレスコピック式ブームとも呼ばれる）で、旋回体２に装着される基段ブーム４ａ、基段ブーム４ａに内挿され、基段ブーム４ａ内から突出、収納される２段目ブーム４ｂ、２段目ブーム４ｂに内挿され、２段目ブーム４ｂ内から突出、収納される３段目ブーム４ｃとからなる。５は３段目ブーム４ｃにリンク６を介して装着される作業床で、この作業床５には、ブーム４の俯仰、伸縮、旋回体２の旋回、走行体１による走行等を操作する操作盤７を備える。
【０００８】
１００は基段ブーム４ａの背面部に設けられるブームカバー装置で、このブームカバー装置１００は、カバー体１１０、カバー体１２０、カバー体１３０からなる３分割構造を有し、ブーム回動支点Ａ側からブーム先端側に向けて順に直列に配置される。そして図２に示すように基段ブーム４ａの背面に設けられる複数の取付ブラケットＳに固定される。なお、カバー体１１０、１２０、１３０のうち、基端ブーム４ａの基端側、先端側にそれぞれ配置されるカバー体１１０、１３０は、それらの間に配置されるカバー体１２０よりも短く構成される。
【０００９】
次に図３、図４を用いてさらにカバーの構造を説明する。図３に示すようにカバー体１１０、１２０、１３０は共に断面形状がコ字状（凹状）で、長手方向は開口して構成されている。これらカバー体１１０、１２０、１３０は、樹脂または鋼板を材料として形成することが可能であるが加工性や変形時の板金による補修性を考慮すると鋼板を用いることが望ましい。
【００１０】
カバー体１１０は、その下方部に基段ブーム４ａの取付ブラケットＳへの装着用の取付穴１１１が設けられ、一側方端部には隣り合うカバー体１２０と接続するための取付穴１１２が外周に亘って設けられる。
【００１１】
カバー体１２０は、その両端部に、それぞれ隣り合うカバー体１１０およびカバー体１３０と接続するための接続部材１２１が設けられる。この接続部材１２１は、カバー体１２０の内周面に沿うコ字状の形状を有し、カバー体１２０の両端開口部の内周面に、それぞれ一部が開口部から突出するように固着されるものである。そしてこの接続部材１２１のカバー体１２０の両端開口部から突出する部分には、取付穴１２２が複数設けられる。この接続部材１２１は、カバー体１２０の両端開口部内周面に装着されて、その部分の強度を補強する役割もなす。
またカバー体１２０にもカバー体１１０同様、その下方部に基段ブーム４ａの取付ブラケットＳへの装着用の取付穴１２３が設けられる。
【００１２】
カバー体１３０は、一側方端（先端部）の開口部が閉塞部材１３１により一部閉塞されて形成されている。他側方端部には隣り合うカバー体１２０と接続するための取付穴１３３が外周に亘って設けられる。そして下方部には、基段ブーム４ａの取付ブラケットＳへの装着用の取付穴１３２が設けられる。
【００１３】
次にこのカバー体１１０、１２０、１３０の基端ブーム４ａへの取付について説明する。まず、基段ブーム４ａの背面中央部に、カバー体１２０を装着する。
この装着は、取付穴１２３を基段ブーム４ａの背面部の取付ブラケットＳに位置合わせし、ボルトによりそれらを締結することにより行う。次にカバー体１１０およびカバー体１３０を装着する。カバー体１２０は、その両端部から接続部材１２１が突出しているからカバー体１１０および１３０におけるカバー体１２０と隣り合う側の端部を、その突出する接続部材１２１に外挿し、カバー体１１０、１３０の端部と接続部材１２１とを重ね合わせた上で、それらに設けられる取付穴１２２と取付穴１１２、１３４とにそれぞれボルトを挿通し、それらを締結する。（図４参照。）そして、カバー体１２０と同様に、カバー体１１０、１３０とも、それぞれ取付穴１１１、１３２を基段ブーム４ａの背面部の取付ブラケットＳに位置合わせし、ボルトによりそれらを締結する。
【００１４】
カバー体１１０、１２０、１３０は、以上により基段ブーム４ａに装着される。
【００１５】
以上、本発明のブームカバー装置によれば以下のような効果を奏する。
（１）ブームカバー装置１００をカバー体１１０、１２０、１３０の３分割にしたので、１カバーあたりの重量、大きさが低減され、所定の地上高を有する基段ブーム４ａ背面部への取り付け、取外し作業が容易に行える。また、カバー体が凹み等により損傷した場合は、カバー体１１０、１２０、１３０のうちの損傷した部分を有するカバー体のみを交換すればよく、交換部品のコストが低減できる。
【００１６】
（２）カバー体１２０の両端開口部の内周部に接続部材１２１を設け、その接続部材１２１を開口部から突出させ、この接続部材１２１の突出部分に他のカバー体１１０、１３０の端部を重ね合わせて固定するようにしたので、カバー体１２０は、その開口部が補強され、強度が増すとともに、他カバー体１１０、１３０との接続性も向上する。また、カバー体１２０とカバー体１１０、１３０との接続部に隙間を生じることがないため、美観にも優れる。
【００１７】
なお、上述の実施の形態では、ブームカバー装置１００を３分割構造としたが、２分割構造や、４分割以上の構造とすることもできる。
【００１８】
また、カバー体１２０を他のカバー体１１０、１３０よりも長く形成するようにしたが、これは、ブーム基端部のカバー体１１０および先端部のカバー体１３０が、比較的障害物に接触しやすく、交換の頻度が多いとの判断によるものであるが、それに限らずそれぞれ同じ長さに形成しても良い。また、ブームカバー装置１００の両端部に位置するカバー体１１０と１３０は同じ構造として共通化することもでき、これにより部品点数を減らすことができる。
【００１９】
また、カバー体１２０に接続部材１２１を設けるようにしたが、カバー体１１０および１３０に設けるようにしても良い。その場合は、カバー体１１０、１３０を先に基端ブーム４ａに装着し、その後カバー体１２０を装着するようにすると良い。
【００２０】
また、本実施の形態では、高所作業車に適用した例を示したが、伸縮ブームを有するクレーン等の作業機械にも同様に適用できる。
【００２１】
【発明の効果】
本発明のブームカバー装置は、カバー装置を分割して少なくとも２つのカバー体により構成するようにしたので、ブームへの取り付け、取外し作業性を向上できるともに、例え損傷しても、損傷したカバー体のみ交換することが可能となり、部品コストも低減できる。
【００２２】
また、このブームカバー装置を備えた高所作業車にあっては、前記効果を享受できる。
【図面の簡単な説明】
【図１】本発明のブームカバー装置が装着された高所作業車の全体図である。
【図２】図１におけるブーム部分を拡大した拡大図である。
【図３】本発明のブームカバー装置の詳細図である。
【図４】図３におけるカバーの接続状態を説明する状態説明図である。
【符号の説明】
２；旋回体、４；ブーム、４ａ；基端ブーム、５；作業床、１００；ブームカバー装置、１１０、１２０、１３０；カバー体、１１１、１１２、１２２、１２３、１３２、１３３；取付穴、１２１；接続部材。
【図１】
2004299890.tif 000003
【図２】
2004299890.tif 000004
【図３】
2004299890.tif 000005
【図４】
2004299890.tif 000006